(57)【特許請求の範囲】
【請求項１】
床板、上板および周囲の側板によって略直方体に形成されたケース本体の下面にキャスターを設け、上面には取っ手及び/又はバンドを取り付けてなり、側板の一面をペットが出入りする出入口とすると共に、前記出入口を開閉する扉板を設け、前記出入口の両側の側板は、通気性を有する内側壁と断熱性を有する外側壁とによって形成し、内側壁と外側壁との間の空隙に温度調節材を収納し、前記内側壁と外側壁との出入口側の開口部を塞ぐ開閉自在な蓋を設けてなることを特徴とするペット用キャリーケース。
【請求項２】
上面には開閉自在な蓋を有する覗き用開口部を設けたことを特徴とする請求項１に記載のペット用キャリーケース。
【発明の詳細な説明】
【技術分野】
【０００１】
この発明は、例えば犬、猫等のペットを入れて運搬するペット用キャリーケースに係り、夏季、冬季のいずれの場合でも居住環境を良好に維持しながら運搬することができるペット用キャリーケースに関するものである。
【背景技術】
【０００２】
動物に触れたり、一緒に過ごすときは、気持ちがゆったりして癒されます。人と動物の共同生活には長い歴史があり、人の歴史において動物は多くの働きをし、人と動物は一緒に生活してきました。最近では、動物と生活することで精神生活の安寧や子供の成長、健康の増進、機能障害の回復、また、他人とのコミュニケーションの促進などに有効な効果をもたらすといわれている。
【０００３】
犬、猫等のペットは、専用のキャリーケースに入れられて運搬されるが、冬季の寒さや夏季の厚さはペットにとっては耐え難い。そこで、ペット用ハウスには、床を上板と下板からなる二重構造にして、この二重構造とした空間に保温液を貯蔵するためのタンクを着脱自在に挿入するようにしたものがあり、また、屋根側の略全面に蓄冷材を収納可能な収納室を設けたものが提案されている。
【０００４】
前者の例として特開平７−１６０３２号公報があり、後者の例として特開２００５−１１８０１２号公報がある。
【特許文献１】特開平７−１６０３２号公報
【特許文献２】特開２００５−１１８０１２号公報
【発明の開示】
【発明が解決しようとする課題】
【０００５】
上記文献はいずれも所定の場所に設置して使用するペットハウスに関するものであり、ペットを運搬するキャリーケースについては何ら提案されていない。特開平７−１６０３２号公報記載のペットハウスは、床を保温するものであるから、ペットの体が直接保温液によって加熱されることになり、ペットによっては低温火傷をするおそれがあり、また保温液を貯蔵するタンクが雨水等によって汚染されやすい。
【０００６】
さらに、特開２００５−１１８０１２号公報記載のペットハウスは、屋根側の略全面に設けた収納室に蓄冷材を収納するものである。屋根側に蓄冷材を収納した場合には、直接日に当たるから長時間冷却できないばかりでなく、冷気を効率よく循環することができない。この発明は上記の問題点を解決するためになされたもので、側壁に設けた収納室に蓄冷材又は蓄熱材を収納するようにしたペット用キャリーケースを提供するものである。
【課題を解決するための手段】
【０００７】
この発明に係るペット用キャリーケースは、床板、上板及び周囲の側板によって略直方体に形成されたケース本体の下面にキャスターを設け、上面には取っ手及び/又はバンドを取り付けてなり、ケース本体の一面をペットの出入りする出入口とすると共に、前記出入口を開閉する扉板を設け、前記出入口の両側の側板は、通気性を有する内側壁と断熱性を有する外側壁とによって形成し、内側壁と外側壁との間の空隙に温度調節材を収納し、前記内側壁と外側壁との出入口側の開口部を塞ぐ開閉自在な蓋を設けてなることを特徴とする。また、上面には開閉自在な蓋を有する覗き用開口部を設けることが好ましい。
【発明の効果】
【０００８】
この発明のペット用キャリーケースは、室内の温度が容易に調節され、ペットに好適な居住環境を提供することができる。
【発明を実施するための最良の形態】
【０００９】
以下に、図示する実施形態について説明する。ペット用キャリーケース１（以下、単にキャリーケースという）は、図１に示すように、ペットを収容するケース本体２と、このケース本体２の底面に設けたキャスタ３と、ケース本体２の上面に取り付けた取っ手４及び/又はバンド５とで構成されている。
【００１０】
ケース本体２は、略直方体に形成されており、床板６と上板７と両側板８と背板９と正面側の扉板１０によって構成されている。前記床板６と上板７と背板９は、プラスチック板あるいは金属板等の強度の高い外壁の内面に、発泡プラスチック板あるいは断熱性のある板を内壁として固着した二重構造であって、上板７の中央部には多数の通気孔１１を有する開閉自在な蓋が形成されている。尚、前記床板６と上板７と背板９は、前記構造に限定されるものではなく、木製板によって形成してもよい。
【００１１】
また、扉板１０も、前記床板６と上板７と背板９と同様に、プラスチック板あるいは金属板等の強度の高い外壁の内面に、発泡プラスチック板あるいは断熱性のある板を内壁として固着した二重構造とすることができ、あるいは木製板によって形成してもよい。
【００１２】
前記扉板１０は、開閉自在であって、図示しない蝶番またはヒンジを介して一方側の側板８に回動自在に取り付けられている。扉板１０は、扉本体１０ａと固定部１０ｂからなり、図示する実施形態では、扉本体１０ａと固定部１０ｂとはヒンジ１０ｃを介して折曲自在に連設されている。
【００１３】
前記扉本体１０ａの中央部には、多数の通気孔１１が形成されている。前記固定部１０ｂは、扉本体１０ａを閉じたときに側板８に固定する固定手段であって、中間部に透孔１０ｄが形成されており、側板８の外面に設けた図示しない留め具を前記透孔１０ｄに挿入して固定するように構成されている。
【００１４】
尚、固定部１０ｂと側板８との固定手段は、前記実施形態に限らず任意の公知の手段に変更することができる。例えば、透孔１０ｄをボタン孔とし側板８には留め具に代えてボタンを設けてもよく、また、ホック形式としても良く、固定部１０ｂと側板８にループ部とフック部のいずれか一方を設けた面ファスナー形式としてもよく、さらに、固定部１０ｂに代えて扉本体１０ａの内側にフックを設け、前記フックを対向する側壁８に設けた係止片に係止させる構成であってもよい。また、扉本体１０ａまたは固定部１０ｂと側板８との固定手段は、面ファスナーであってもよい。
【００１５】
側板８、８は、内側壁１３と外側壁１４とによって形成されており、内側壁１３と外側壁１４との間には蓄冷材又は蓄熱材等の温度調節材１５を収納する空隙１６が設けられている。内側壁１３には、空隙１６に収納された温度調節材１５による冷熱又は温熱を効率よく循環させるために多数の通気孔１１が形成されている。尚、内側壁１３は、通気性があれば前記構成に限定されるものではなく、通気性がよく吸水性に優れた布によって形成してもよい。
【００１６】
前記外側壁１４は、プラスチック板あるいは金属板等の強度の高い外面壁１４ａの内面に、発泡プラスチック板あるいは断熱性のある板を内面壁１４ｂとして固着した二重構造とすることが好ましい。例えば、発泡プラスチック板としてウレタン樹脂を用いることができる。また、外面壁１４ａには、表面にビニール製又は皮製のシートを貼着してもよい。
【００１７】
また、両側壁８、８の扉板１０を設けた側の端部は開口しており、この開口部には空隙１６を開閉する蓋１７が取り付けられている。蓋１７の側端を外側壁１４の外面壁１４ａに蝶番またはヒンジを介して回動自在に取り付けてなり、縦方向のヒンジ１８を介して蓋本体１７ａと固定部１７ｂの２つに折り曲げられるように形成されている。蓋本体１７ａが空隙１６の開口部を閉塞し、固定部１７ｂが内側壁１３に固定される。
【００１８】
前記固定部１７ｂの内面と内側壁１３の室内側の表面には、それぞれ面ファスナー１９のフック部とループ部のいずれか一方が貼着されており、この面ファスナーによって固定するように構成されている。尚、固定部１７ｂと内側壁１３の室内側との固定は、前記面ファスナー１９に限定するものではなく、他の公知の手段、例えばボタン、ホック等による構成、あるいは固定部１７ｂを単に空隙１６に差し込む構成であってもよい。また、固定部１７ｂを省略し、扉本体１７ａによって閉じるようにしてもよい。
【００１９】
空隙１６を塞ぐ蓋１７を設けることによって、温度調節材が不用意に飛び出すのを押さえることができると共に、機密性が高まり断熱性が良くなる。
【００２０】
ケース本体２の上面に形成した覗き用開口部１２は、開閉自在な蓋１２ａ，１２ａを有しており、前記蓋１２ａ，１２ａを開けると開口され収納したペットを覗くことができる。前記蓋１２ａ，１２ａは、摘み１２ｂ、１２ｂを持って引き上げると蝶番又はヒンジ１２ｃ、１２ｃを回転軸として回動され、覗き用開口部１２を開口させることができる。覗き用開口部１２を開口させることによって、収容したペットに声をかけたり、触ったりして慰めることができ、収納されているペットの不安や寂しさを解消することができる。
【００２１】
さらに、ケース本体２の上面には、取っ手４及び／又はバンド５が取り付けられている。取っ手４は持ち上げて移動するときに使用することができ、バンド５は、調節部材５ａで長さの調節が可能であり、両端部はケース本体２の扉板１０側に取り付けられていて、バンド５を牽引することによりケース本体２の底面に設けたキャスタ３によって走行させることができる。また、ケース本体２の上面には、図示するのを省略したが、肩掛けバンドを取り付けてもよい。肩掛けバンドを取り付けた場合には、容易に運搬することができるとともに、運搬中でも上記覗き窓１２を開けることによってペットに直接話しかけたり触れることができる。
【００２２】
ケース本体２の底面に設けたキャスタ３は、四隅部に設けても良いが、後端部にのみ設け、扉板１０を設けた前端部には、ケース本体２を水平にするためにキャスタ３と同じ高さの突起を設けてもよい。
【００２３】
この発明に係るペット用キャリーケース１は、上記のように構成したので室内のペット居住環境を良好に維持することができる。即ち、空隙１６内に、夏季であれば蓄冷材を収納し、冬季であれば蓄熱材を収納すると、側板８は断熱材によって形成されており室内側にのみ通気可能であるから、冷気又は暖気が室内に流入することによって室内が冷却又は暖房されることになる。上板７には通気孔１１が設けられているから、室内の冷気又は暖気は効率よく循環することになり、全体的に均一な温度調節が可能である。
【００２４】
また、暖かい空気は上方に冷たい空気は下方に循環することから、冷気はペットのいる床板６側に流れることになり、一方、暖気はペットに触れ暖められてから上昇することになり、常に最適な環境を維持することができる。また、蓄冷材、蓄熱材等の温度調節材を側板内に収納するようにしたから、ペットが自ら室内の中央部に寄ったり、いずれかの側壁に近づいたりすることによって調節をすることができる。
【図面の簡単な説明】
【００２５】
【図１】本発明の実施形態を示す上面斜視図である。
【図２】同じく断面図である。
【符号の説明】
【００２６】
１：ペット用キャリーケース
２：ケース本体
３：キャスター
４：取っ手
５：バンド
６：床板
７：上板
８：側板
９：背板
１０：扉板
１０ａ：扉本体
１０ｂ：固定部  
１０ｃ：ヒンジ
１０ｄ：透孔
１１：通気孔
１２：覗き用開口部
１３：内側壁
１４：外側壁
１５：温度調節材
１６：温度調節材収納用空隙
１７：蓋
１８：ヒンジ
１９：面ファスナー
【図１】
0004433322.tif 000002
【図２】
0004433322.tif 000003